(57)【特許請求の範囲】
【請求項１】
画像形成データで指定された指定用紙を保持した給紙トレイを複数の給紙トレイから選択し、前記指定用紙に前記画像形成データに含まれる画像を形成すると共に、前記指定用紙に関する用紙エラーが発生した場合に他の用紙による強制印刷を実行する画像形成装置であって、
強制印刷の対象となる画像よりも後のページの画像、または強制印刷の対象となる画像の前のページの画像、を作成する表示用画像作成手段と、
前記用紙エラーが発生した場合に、印刷領域の画像と、前記表示用画像作成手段により作成される強制印刷の対象となる画像よりも後のページの画像、または強制印刷の対象となる画像の前のページの画像と、を同じ縮尺で縮小し、基準となる頂点を重ねると共に、前記頂点を挟む二辺をそれぞれ重ねた表示用画像を表示する表示手段と、
を備えることを特徴とする画像形成装置。
【請求項２】
さらに、前記表示手段は、四角形の表示部であって、前記印刷領域の画像と前記強制印刷の対象となる画像のうち大きい方の画像の長辺が当該表示部の一辺となるように縮小して重ねた前記表示用画像を表示する表示部を含む強制印刷選択用の画面を表示することを特徴とする請求項１に記載の画像形成装置。
【請求項３】
さらに、前記表示手段は、前記強制印刷を実行する際に、全てのページを印刷するか、または現在のページを印刷するかを選択するための選択画面を表示することを特徴とする請求項１または２に記載の画像形成装置。
【請求項４】
さらに、前記表示手段は、前記給紙トレイのうち手差しトレイを使用して、前記他の用紙による強制印刷を実行する場合に、前記他の用紙の用紙サイズを設定するための画面を表示し、ユーザから他の用紙サイズの指定を受け付けることを特徴とする請求項１，２または３に記載の画像形成装置。
【請求項５】
さらに、前記表示用画像作成手段は、前記印刷領域の画像に対して前記強制印刷の対象となる画像を所定角度回転させた表示用画像を作成することを特徴とする請求項１〜４のいずれか一つに記載の画像形成装置。
【請求項６】
さらに、前記表示用画像作成手段は、前記印刷領域の画像に対して前記強制印刷の対象となる画像を拡大又は縮小させた表示用画像を作成することを特徴とする請求項１〜５のいずれか一つに記載の画像形成装置。
【請求項７】
さらに、前記表示用画像作成手段は、前記他の用紙の用紙サイズに応じた前記印刷領域の画像を作成することを特徴とする請求項１〜６のいずれか一つに記載の画像形成装置。
【請求項８】
さらに、前記表示用画像作成手段は、前記印刷領域の画像に対して前記強制印刷の対象となる画像を中央に配置させた表示用画像を作成することを特徴とする請求項１〜７のいずれか一つに記載の画像形成装置。
【請求項９】
前記強制印刷の対象となる画像の前記表示用画像における前記印刷領域の画像に対する位置を保持した印刷用画像を作成する印刷画像作成手段を備えることを特徴とする請求項１〜８のいずれか一つに記載の画像形成装置。
【請求項１０】
画像形成データで指定された指定用紙を保持した給紙トレイを複数の給紙トレイから選択し、前記指定用紙に前記画像形成データに含まれる画像を形成すると共に、前記指定用紙に関する用紙エラーが発生した場合に他の用紙による強制印刷を実行する画像形成方法であって、
強制印刷の対象となる画像よりも後のページの画像、または強制印刷の対象となる画像の前のページの画像、を作成する表示用画像作成工程と、
前記用紙エラーが発生した場合に、前記他の用紙を保持した給紙トレイを前記複数の給紙トレイから選択する給紙トレイ選択工程と、
前記他の用紙の給紙方向を含む印刷領域の画像と、前記表示用画像作成工程により作成される強制印刷の対象となる画像よりも後のページの画像、または強制印刷の対象となる画像の前のページの画像と、を同じ縮尺で縮小し、基準となる頂点を重ねると共に、前記頂点を挟む二辺をそれぞれ重ねた表示用画像を表示する表示工程と、
を含むことを特徴とする画像形成方法。
【請求項１１】
請求項１〜９のいずれか一つに記載の画像形成装置と、
前記画像形成装置とネットワークを介して接続され、前記画像形成装置へ送信する画像形成データで指定した指定用紙を保持した給紙トレイを前記画像形成装置の複数の給紙トレイから選択し、前記指定用紙に前記画像形成データに含まれる画像を印刷させると共に、前記指定用紙に関する用紙エラーが発生した場合に他の用紙による強制印刷を前記画像形成装置に実行させる管理装置と、
を備えることを特徴とする画像形成システム。
【請求項１２】
前記管理装置は、
前記用紙エラーが発生した場合に、前記印刷領域の画像と、前記表示用画像作成手段により作成される強制印刷の対象となる画像よりも後のページの画像、または強制印刷の対象となる画像の前のページの画像と、を同じ縮尺で縮小し、基準となる頂点を重ねると共に、前記頂点を挟む二辺をそれぞれ重ねた表示用画像を表示する管理側表示手段を備えることを特徴とする請求項１１に記載の画像形成システム。
【発明の詳細な説明】
【技術分野】
【０００１】
本発明は、画像形成処理中に用紙切れや、適切なサイズや紙種の用紙が給紙トレイにない用紙無しのエラーが発生した場合に、他の給紙トレイの用紙を使用して画像形成の続行を可能にする画像形成装置、画像形成方法及び画像形成システムに関する。
【背景技術】
【０００２】
従来、画像形成装置には、画像形成処理中に用紙切れとなった場合や、適切なサイズや紙種の用紙が給紙トレイにない場合等の用紙エラーが発生した場合に、他の給紙トレイの用紙を使用して画像形成をする強制印刷の機能を備えたものがある（例えば、特許文献１参照）。ここで、特許文献１は、画像形成中に前記用紙エラーが発生した場合に、最も条件の近い別の給紙トレイを用いて自動的に画像形成を再開する画像形成装置を開示している。
【発明の概要】
【発明が解決しようとする課題】
【０００３】
ところで、特許文献１の画像形成装置において、Ａ４縦（縦：２９７ｍｍ，横２１０ｍｍ）のデータの画像形成中にＡ４の用紙が用紙切れになる用紙エラーが発生したとする。この場合、例えば、指定用紙と同一紙種であって、異なるサイズの用紙を優先的に選択するように予め用紙選択条件が設定されているとき、Ｂ４横（縦：２５７ｍｍ，横：３６４ｍｍ）の給紙トレイを用いて強制印刷を実行すると、Ｂ４横の範囲にＡ４縦サイズの画像が印刷される。この場合、画像の横方向は総て印刷されるが、画像の下部が一部印刷されずに欠落してしまう。一方、例えば、紙種及びサイズが近い用紙を優先的に選択するように予め用紙選択条件が設定されている場合、Ｂ５縦の給紙トレイを用いて強制印刷を実行すると、Ａ４縦のサイズの画像が一部切れて印刷されることになってしまい、ユーザが望む印刷結果を得られないことがあった。
【０００４】
以上のように、特許文献１の画像形成装置では、強制印刷時に最も条件の近い別の給紙トレイを用いて自動的に印刷を再開するため、印刷結果にユーザの希望を反映させることができないうえ、実際に印刷してみないと望み通りの印刷結果であるか否かが分からないという問題があった。
【０００５】
本発明は、上記に鑑みてなされたものであって、強制印刷時の印刷結果にユーザの希望を反映させることが可能な画像形成装置、画像形成方法及び画像形成システムを提供することを目的とする。
【課題を解決するための手段】
【０００６】
上述した課題を解決し、目的を達成するために、本発明の画像形成装置は、画像形成データで指定された指定用紙を保持した給紙トレイを複数の給紙トレイから選択し、前記指定用紙に前記画像形成データに含まれる画像を形成すると共に、前記指定用紙に関する用紙エラーが発生した場合に他の用紙による強制印刷を実行する画像形成装置であって、強制印刷の対象となる画像よりも後のページの画像、または強制印刷の対象となる画像の前のページの画像、を作成する表示用画像作成手段と、前記用紙エラーが発生した場合に、印刷領域の画像と、前記表示用画像作成手段により作成される強制印刷の対象となる画像よりも後のページの画像、または強制印刷の対象となる画像の前のページの画像と、を同じ縮尺で縮小し、基準となる頂点を重ねると共に、前記頂点を挟む二辺をそれぞれ重ねた表示用画像を表示する表示手段と、を備えることを特徴とする。
【０００７】
ここで、指定用紙に関する用紙エラーとは、本発明においては画像形成処理中における用紙切れや、適切なサイズや紙種の用紙が給紙トレイにないこと等を原因として発生するエラーを言うものとする。
【０００８】
また、本発明の画像形成装置は、上記の発明において、さらに、前記表示手段は、四角形の表示部であって、前記印刷領域の画像と前記強制印刷の対象となる画像のうち大きい方の画像の長辺が当該表示部の一辺となるように縮小して重ねた前記表示用画像を表示する表示部を含む強制印刷選択用の画面を表示することを特徴とする。
【０００９】
また、本発明の画像形成装置は、上記の発明において、さらに、前記表示手段は、前記強制印刷を実行する際に、全てのページを印刷するか、または現在のページを印刷するかを選択するための選択画面を表示することを特徴とする。
【００１０】
また、本発明の画像形成装置は、上記の発明において、さらに、前記表示手段は、前記給紙トレイのうち手差しトレイを使用して、前記他の用紙による強制印刷を実行する場合に、前記他の用紙の用紙サイズを設定するための画面を表示し、ユーザから他の用紙サイズの指定を受け付けることを特徴とする。
【００１１】
また、本発明の画像形成装置は、上記の発明において、さらに、前記表示用画像作成手段は、前記印刷領域の画像に対して前記強制印刷の対象となる画像を所定角度回転させた表示用画像を作成することを特徴とする。
【００１２】
また、本発明の画像形成装置は、上記の発明において、さらに、前記表示用画像作成手段は、前記印刷領域の画像に対して前記強制印刷の対象となる画像を拡大又は縮小させた表示用画像を作成することを特徴とする。
【００１３】
また、本発明の画像形成装置は、上記の発明において、さらに、前記表示用画像作成手段は、前記他の用紙の用紙サイズに応じた前記印刷領域の画像を作成することを特徴とする。
【００１４】
また、本発明の画像形成装置は、上記の発明において、さらに、前記表示用画像作成手段は、前記印刷領域の画像に対して前記強制印刷の対象となる画像を中央に配置させた表示用画像を作成することを特徴とする。
【００１５】
また、本発明の画像形成装置は、上記の発明において、前記表示用画像の前記強制印刷の対象となる画像を、前記他の用紙の前記表示用画像の前記印刷領域の画像に対応した位置に印刷する印刷用画像を作成する印刷画像作成手段を備えることを特徴とする。
【００１６】
また、上述した課題を解決し、目的を達成するために、本発明の画像形成方法は、画像形成データで指定された指定用紙を保持した給紙トレイを複数の給紙トレイから選択し、前記指定用紙に前記画像形成データに含まれる画像を形成すると共に、前記指定用紙に関する用紙エラーが発生した場合に他の用紙による強制印刷を実行する画像形成方法であって、強制印刷の対象となる画像よりも後のページの画像、または強制印刷の対象となる画像の前のページの画像、を作成する表示用画像作成工程と、前記用紙エラーが発生した場合に、前記他の用紙を保持した給紙トレイを前記複数の給紙トレイから選択する給紙トレイ選択工程と、前記他の用紙の給紙方向を含む印刷領域の画像と、前記表示用画像作成工程により作成される強制印刷の対象となる画像よりも後のページの画像、または強制印刷の対象となる画像の前のページの画像と、を同じ縮尺で縮小し、基準となる頂点を重ねると共に、前記頂点を挟む二辺をそれぞれ重ねた表示用画像を表示する表示工程と、を含むことを特徴とする。
【００１７】
また、上述した課題を解決し、目的を達成するために、本発明の画像形成システムは、前記画像形成装置と、前記画像形成装置とネットワークを介して接続され、前記画像形成装置へ送信する画像形成データで指定した指定用紙を保持した給紙トレイを前記画像形成装置の複数の給紙トレイから選択し、前記指定用紙に前記画像形成データに含まれる画像を印刷させると共に、前記指定用紙に関する用紙エラーが発生した場合に他の用紙による強制印刷を前記画像形成装置に実行させる管理装置と、を備えることを特徴とする。
【００１８】
また、本発明の画像形成システムは、上記の発明において、前記管理装置は、前記用紙エラーが発生した場合に、前記印刷領域の画像と、前記表示用画像作成手段により作成される強制印刷の対象となる画像よりも後のページの画像、または強制印刷の対象となる画像の前のページの画像と、を同じ縮尺で縮小し、基準となる頂点を重ねると共に、前記頂点を挟む二辺をそれぞれ重ねた表示用画像を表示する管理側表示手段を備えることを特徴とする。
【発明の効果】
【００１９】
本発明によれば、用紙エラーが発生した場合に、他の用紙の給紙方向を含む印刷領域の画像と強制印刷の対象となる画像とを同じ縮尺で縮小し、基準となる頂点を重ねると共に、頂点を挟む二辺をそれぞれ重ねた表示用画像を表示するので、ユーザは表示された画像から強制印刷を続行するかキャンセルするかを判断することができ、強制印刷時の印刷結果にユーザの希望を反映させることができるという効果を奏する。
【図面の簡単な説明】
【００２０】
【図１】図１は、本発明の実施の形態１に係る画像形成システムの概要を示すシステム構成図である。
【図２】図２は、ネットワークに接続された本発明の実施の形態１に係るプリンタ装置のハードウエア構成を示すブロック図である。
【図３】図３は、プリンタ装置の機能的構成を示すブロック図である。
【図４】図４は、エラーメッセージとして操作パネルに表示される強制印刷選択画面の一例を示す図である。
【図５】図５は、強制印刷選択画面に表示される給紙トレイを示すアイコンの表示を説明する拡大図である。
【図６】図６は、給紙方向が横方向のＢ５の用紙を保持した給紙トレイを選択した場合の強制印刷選択画面を示す図である。
【図７】図７は、表示画面に表示される強制印刷の対象となる画像と用紙の印刷領域の画像とを示す図である。
【図８】図８は、給紙方向が横方向のＡ３の用紙を保持した給紙トレイを選択した場合の強制印刷選択画面を示す図である。
【図９】図９は、強制印刷選択画面で強制印刷の実行を選択した際に表示される自動解除警告画面を示す図である。
【図１０】図１０は、印刷データを用紙へ強制印刷する際にプリンタ装置が実行する制御手順を説明するフローチャートである。
【図１１】図１１は、印刷データの用紙への印刷において実行される表示用画像の作成処理を説明するフローチャートである。
【図１２】図１２は、実施の形態２にかかるプリンタ装置の強制印刷選択画面を示す図である。
【図１３】図１３は、図１２に示す強制印刷選択画面で強制印刷の対象となる画像を回転させた図である。
【図１４】図１４は、画像の回転及びサイズ補正を含む強制印刷の際にプリンタ装置１０が実行する制御手順を説明するフローチャートである。
【図１５】図１５は、表示画面における印刷領域の画像に対する強制印刷の対象となる画像のサイズ補正を説明する図である。
【図１６】図１６は、他のサイズ補正の例を示す図である。
【図１７】図１７は、表示画面における印刷領域の画像に対する強制印刷の対象となる画像の回転及びサイズ補正を説明する図である。
【図１８】図１８は、ページ送り機能およびページ戻し機能を利用した強制印刷を説明する強制印刷選択画面の図である。
【図１９】図１９は、強制印刷選択画面上で強制印刷を実行する実行ボタンを操作した際に表示される印刷メニュー画面の図である。
【図２０】図２０は、ページ送り機能又はページ戻し機能を利用した強制印刷の際にプリンタ装置１０が実行する制御手順を説明するフローチャートである。
【図２１】図２１は、実施の形態３にかかるプリンタ装置の強制印刷選択画面を示す図である。
【図２２】図２２は、用紙サイズを設定するための用紙サイズ設定画面を示す図である。
【図２３】図２３は、手差しトレイから用紙を給紙して強制印刷する際にプリンタ装置が実行する制御手順を説明するフローチャートである。
【図２４】図２４は、実施の形態４にかかるプリンタ装置の強制印刷選択画面を示す図である。
【図２５】図２５は、図２４に示す強制印刷選択画面において強制印刷の対象となる画像を表示画面の中央に表示した図である。
【図２６】図２６は、強制印刷の対象となる画像をセンタリングして強制印刷する際にプリンタ装置が実行する制御手順を説明するフローチャートである。
【図２７】図２７は、図２４に示す表示画面Ｄに表示された強制印刷の対象となる画像と印刷領域の画像とに基づいてセンタリングに伴う印刷位置を説明する図である。
【発明を実施するための形態】
【００２１】
以下に、本発明の画像形成装置、画像形成方法及び画像形成システムに係る実施の形態を図面を参照して詳細に説明する。なお、この実施の形態によりこの発明が限定されるものではない。
【００２２】
（実施の形態１）
以下、画像形成装置としてレーザプリンタからなるプリンタ装置を使用した本発明の実施の形態１に係る画像形成システムについて説明する。図１は、本発明の実施の形態１に係る画像形成システムの概要を示すシステム構成図である。図１に示すように、実施の形態１に係る画像形成システム１は、プリンタ装置１０がネットワーク２によって管理装置としてのホストコンピュータ３と接続されている。なお、ネットワーク２にはファクシミリやプリンタ装置等、他の画像形成装置（図示せず）も接続されている。
【００２３】
図２は、本発明の実施の形態１に係るプリンタ装置１０のハードウエア構成を示すブロック図である。図３は、プリンタ装置１０の機能的構成を示すブロック図である。プリンタ装置１０は、図２及び図３に示すように、操作パネル１２と、プリンタエンジン１３と、制御部２０とを備えている。
【００２４】
操作パネル１２は、プリンタ装置１０のモード切替等、プリンタ装置１０に関する各種操作に係るユーザからの指示を入力すると共に、プリンタ装置１０に関する各種情報、例えば、プリンタ装置１０の状態や、用紙エラーが発生した場合の強制印刷選択画面等を表示する入力手段を兼ねた表示手段である。なお、操作パネル１２は、接触した位置に表示されたアイコンやボタン等を手指で操作（タッチ）することにより、タッチしたアイコンやボタン等に応じた信号を出力する、所謂タッチパネルとして構成されている。
【００２５】
プリンタエンジン１３は、プリンタ装置１０において画像を形成する部分である。プリンタエンジン１３は、制御部２０から入力されるビデオ信号(画像信号)及び制御信号によって感光体上に静電潜像を形成し、この静電潜像をトナー現像して給紙部から供給される用紙上に転写及び定着させ、画像を形成する。
【００２６】
プリンタエンジン１３は、図３に示すように、印刷部１３ａと給紙部の複数の給紙トレイの情報を個々に検知するトレイ情報検知部１３ｂとを有している。
【００２７】
印刷部１３ａは、印刷用画像の用紙への印刷を実行する。トレイ情報検知部１３ｂは、各給紙トレイにおける用紙切れや、各給紙トレイに保持されている用紙の用紙サイズ及び用紙の向き等に関するトレイ情報を検知する。ここで、トレイ情報の検知は、プリンタ装置１０の給紙部にセットされた各給紙トレイのサイドフェンスの位置や用紙の有無等を光センサや近接センサ等の適宜のセンサによって検知する。なお、用紙サイズや用紙の向きは、プリンタ装置１０の用紙に関する設定を所定の記憶部から読み出してきてもよい。
【００２８】
制御部２０は、プリンタ装置１０に設定されている制御モード及びホストコンピュータ３から入力される制御コード信号に従ってホストコンピュータ３から入力される印刷データ信号をビデオデータ信号（画像データ信号）に変換し、プリンタエンジン１３へ出力するコンピュータである。制御部２０は、図２に示すように、ネットワークＩ／Ｆ２１、プログラムＲＯＭ２２、フォントＲＯＭ２３、入力Ｉ／Ｆ２４、ＳＤカードＩ／Ｆ２５、ＵＳＢＩ／Ｆ２６、ＣＰＵ２７、ＲＡＭ２８、ＮＶ−ＲＡＭ２９、エンジンＩ／Ｆ３０及びオプションＲＡＭ３１を備えている。
【００２９】
ネットワークＩ／Ｆ２１は、ホストコンピュータ３からプリンタ装置１０へ制御信号やデータ信号を出力し、プリンタ装置１０からホストコンピュータ３へステータス信号を出力することによりホストコンピュータ３との間で各種データのやり取りを行うインターフェースである。プログラムＲＯＭ２２には、制御部２０内におけるデータの管理や、周辺モジュールを制御するプログラムが格納されている。フォントＲＯＭ２３には、プリンタ装置１０での画像形成における印字に使用される各種フォントに係るデータが格納されている。
【００３０】
入力Ｉ／Ｆ２４は、プリンタ装置１０の状態やモード等の切り替えを行なう制御信号等を入力するためのインターフェースである。ＳＤカードＩ／Ｆ２５は、ＳＤカードからのデータ信号を受け取るためのインターフェースである。ＵＳＢＩ／Ｆ２６は、ＵＳＢからのデータ信号を受け取るためのインターフェースである。ＣＰＵ２７は、プログラムＲＯＭ２２に従ってホストコンピュータ３から入力されるデータを処理する。このとき、ＣＰＵ２７は、ホストコンピュータ３から入力されるデータを印刷データ及び印刷制御データとその他のデータとに振り分ける。ＣＰＵ２７は、印刷データ及び印刷制御データを、制御コードに変換した後、図示しないバッファに格納する。
【００３１】
ＲＡＭ２８は、ＣＰＵ２７がデータ信号を処理する際のワークメモリ、ホストコンピュータ３から入力される印刷データをページ単位管理して一時記憶するバッファ、一時記憶された印刷データを印刷用画像に変換し、その印刷用画像データをビットマップメモリとして記憶するメモリ等として使用される。ＮＶ−ＲＡＭ２９は、プリンタ装置１０の電源を切った際に保持しておきたいデータを格納しておく不揮発性ＲＡＭである。エンジンＩ／Ｆ３０は、制御部２０からプリンタエンジン１３へ出力する制御信号及びプリンタ装置１０から制御部２０へ出力するステータス信号のインターフェースである。オプションＲＡＭ３１は、各種のプログラムを格納するＲＡＭとしてのＳＤカードである。
【００３２】
制御部２０は、図３に示すように、ジョブ制御部３２、通信部３３、印刷画像作成部３４、データ解析部３５、印刷画像保持部３６、トレイ情報保持部３７、印刷画像変換部３９及び表示用画像作成部４０等を更に備えている。
【００３３】
ジョブ制御部３２は、強制印刷を含め、画像形成に関する各種情報のプリンタ装置１０への入力と入力された情報に基づく出力に至る一連の処理を統括的に制御する。通信部３３は、ネットワーク２を介してホストコンピュータ３との間で画像形成に関する各種信号を送受信する。印刷画像作成部３４は、通信部３３を介して入力される画像形成に関するデータから印刷用画像を作成し、印刷画像保持部３６及び印刷画像変換部３９へ出力する。なお、印刷用画像には、通常の印刷おける画像の他に、強制印刷の対象となる画像が含まれている。操作パネル１２上で給紙トレイを選択した際の選択信号はジョブ制御部３２へ出力される。これにより、ジョブ制御部３２は、画像を印刷する際における給紙トレイの変更、従って画像を印刷する際の用紙の変更を把握することができる。
【００３４】
データ解析部３５は、通信部３３を介して入力される画像形成に関するデータを解析し、結果を印刷条件保持部３８へ出力する。印刷画像保持部３６は、印刷画像作成部３４及び印刷画像変換部３９が作成した印刷用画像及び印刷用変換画像を格納する。トレイ情報保持部３７は、プリンタ装置１０が備える各給紙トレイが保持する用紙の用紙サイズ，給紙方向に関する用紙情報を格納する。
【００３５】
印刷条件保持部３８は、画像形成に関するデータを解析したデータ解析部３５の解析結果である印刷用画像のサイズ，印刷用画像の向き，印刷用画像の両面印刷の有無，用紙サイズ，用紙の向き，用紙種類，パンチ処理の有無，ステープル処理の有無等に関する印刷条件を格納する。印刷画像変換部３９は、印刷画像作成部３４が作成した印刷用画像を印刷条件に応じて回転，サイズ補正（拡大，縮小），センタリング，ＲＧＢ変換等の処理を施した印刷用処理画像にし、印刷画像保持部３６へ出力する。
【００３６】
尚、印刷画像作成部３４、データ解析部３５、印刷画像保持部３６、トレイ情報保持部３７、印刷条件保持部３８及び印刷画像変換部３９は、強制印刷の対象となる画像の前記表示用画像における前記印刷領域の画像に対する位置を保持した印刷用画像を作成する印刷用画像作成手段を構成している。
【００３７】
表示用画像作成部４０は、表示用画像作成手段であり、図３に示すように、画像作成部４０ａ、画像合成部４０ｂ、画像変換部４０ｃ及び画像保持部４０ｄを有している。
【００３８】
画像作成部４０ａは、通信部３３を介して入力される画像形成に関するデータに基づき操作パネル１２に表示する表示用画像を作成し、画像合成部４０ｂ，画像変換部４０ｃ及び画像保持部４０ｄへ出力する。画像合成部４０ｂは、通信部３３を介して入力される画像形成に関するデータに基づき複数の表示用合成画像（強制印刷の対象となる画像と、ユーザの選択した給紙トレイに保持される用紙の給紙方向を含む印刷領域の画像とを含む）を操作パネル１２に表示する１つの表示用画像に合成し、合成した表示用合成画像を画像変換部４０ｃ及び画像保持部４０ｄへ出力する。画像変換部４０ｃは、画像作成部４０ａが作成した表示用画像及び画像合成部４０ｂが合成した表示用合成画像を表示条件に応じて回転，サイズ補正（拡大，縮小），センタリング，ＲＧＢ変換等の処理を施した印刷時の状態を表示する表示用変換画像に変換し、画像合成部４０ｂ及び画像保持部４０ｄへ出力する。この印刷時の状態を表示する表示用変換画像は、実際に用紙へ印刷される印刷用処理画像と同じ画像である。画像保持部４０ｄは、画像作成部４０ａ，画像合成部４０ｂ及び画像変換部４０ｃのそれぞれが作成した表示用画像，表示用合成画像，表示用変換画像を格納する。
【００３９】
なお、ホストコンピュータ３は、プリンタ装置１０の操作パネル１２と同様に構成される管理操作パネルを備えている。
【００４０】
以上のように構成される本発明の画像形成システム１においては、ホストコンピュータ３で作成され、ネットワーク２を介して入力されるデータ中の印刷データをプリンタ装置１０が印刷データで指定された用紙に印刷する。
【００４１】
ここで、例えば、ユーザがＡ４の用紙を保持した給紙トレイを複数の給紙トレイから選択し、Ａ４の用紙に１０枚の画像を印刷する場合、選択した給紙トレイにはＡ４の用紙が３枚しかないとする。この場合、プリンタ装置１０は、画像を３枚印刷したところで、用紙切れとなり、トレイ情報検知部１３ｂから入力される用紙切れ信号によってジョブ制御部３２が用紙エラー信号を出力する。
【００４２】
図４は、エラーメッセージとして操作パネルに表示される強制印刷選択画面の一例を示す図である。図５は、強制印刷選択画面に表示される給紙トレイを示すアイコンの表示を説明する拡大図である。図６は、給紙方向が横方向のＢ５の用紙を保持した給紙トレイを選択した場合の強制印刷選択画面を示す図である。
【００４３】
用紙エラー信号が出力されると、プリンタ装置１０は、操作パネル１２に図４に示す強制印刷選択画面Ｓ1cpを表示する。強制印刷選択画面Ｓ1cpには、それぞれＡ４普通紙、Ｂ５普通紙、Ａ３普通紙及びＡ５再生紙を保持した給紙トレイを示すアイコンＩ1〜Ｉ4と、印刷時の状態を表示する表示部としての表示画面Ｄと、選択した操作の実行を入力する実行ボタンＢexと、ジョブのリセットを入力するジョブリセットボタンＢjrとが表示される。
【００４４】
図５に示すように、例えば、アイコンＩ3は、上段の左の欄から順に給紙トレイ番号Ｔno、用紙残量Ｒ、給紙方向Ａlを示している。また、アイコンＩ3の中段は用紙のサイズを示し、下段は用紙の種類を示している。他のアイコンＩ1，Ｉ2，Ｉ4も同様に表示している。アイコンＩ1は給紙トレイの用紙(Ａ４)が縦置きの状態で横方向へ給紙されることを示し、アイコンＩ2〜Ｉ4は給紙トレイの用紙(Ｂ５，Ａ３，Ａ５)が横置きの状態で横方向へ給紙されることを示している。また、用紙残量がない用紙切れの場合は、アイコンＩ1が示すように、用紙残量Ｒの欄には矢印が表示される。給紙トレイの用紙が満杯の場合には、アイコンＩ3の用紙残量Ｒの欄が示すように用紙の位置を示す線が上端まで表示される。
【００４５】
図４に示す強制印刷選択画面Ｓ1cpにおいて、ユーザは、アイコンＩ2をタッチすることよって給紙トレイ（２番）を選択する。すると、給紙トレイ選択後の強制印刷選択画面Ｓ1cpでは、図６に示すように、選択された給紙トレイ（２番）が強調して表示される。
【００４６】
図７は、表示画面Ｄに表示される強制印刷の対象となる画像Ｉmと用紙の印刷領域の画像Ａpとを示す図である。図７に示すように、表示部としての表示画面Ｄは、四角形、例えば、正方形に設定され、強制印刷の対象となる画像Ｉmと、用紙の給紙方向を含む印刷領域の画像Ａpとを同じ縮尺で縮小し、基準となる頂点Ｖを重ねると共に、頂点Ｖを挟む二辺をそれぞれ重ねた表示用画像を表示する。このとき、表示画面Ｄは、図６に示すように、印刷領域の画像画像Ａp(B5)と強制印刷の対象となる画像Ｉmのうち大きい方の画像Ｉmの長辺が表示画面Ｄの一辺となるように縮小して重ねた表示用画像を表示する。
【００４７】
ここで、ユーザが選択した給紙トレイによっては、その給紙トレイに保持される用紙の印刷領域の画像Ａpが強制印刷の対象となる画像Ｉmよりもサイズが大きくなる場合がある。このため、本実施の形態では、画像を印刷する前に表示画面Ｄで確かめることにより、強制印刷を続行するか否かを判断できるようにしている。
【００４８】
特に、ユーザは、表示画面Ｄ上で、強制印刷の対象となる画像Ｉmと用紙の給紙方向を含む印刷領域の画像Ａp(B5)とを見ることにより、印刷されずに欠落してしまう画像の範囲を容易に確認することができる。従って、ユーザは、Ｂ５の用紙を用いた強制印刷を中止することにより無駄な印刷を回避することができる。
【００４９】
ここで、ユーザがＡ３の用紙を保持した給紙トレイを選択すると、強制印刷選択画面Ｓ1cpには、図８に示すように、給紙方向が横方向のＡ３の用紙を保持した給紙トレイ（３番）が強調して表示される。表示画面Ｄには、強制印刷の対象となる画像Ｉmと、選択された給紙トレイ（３番）に保持される給紙方向が横方向の用紙(Ａ３)の印刷領域の画像Ａp(A3)とが、サイズの大きい画像Ａp(A3)を基準として同じ縮尺で縮小し、基準となる画像左上の頂点Ｖを重ねると共に、頂点Ｖを挟む二辺をそれぞれ重ねることによって印刷時の状態で表示される。
【００５０】
このとき、Ａ３の用紙の印刷領域の画像Ａp(A3)は、強制印刷の対象となるＡ４の画像Ｉmよりもサイズが大きいため、図８に示す表示画面Ｄは、図６に示す表示画面Ｄよりも画像Ｉmの縮小割合が大きくなる。このため、図８に示す表示画面Ｄでは、見掛け上、強制印刷の対象となる画像Ｉmの大きさが、図６に示す表示画面Ｄの画像Ｉmに比べて小さく表示される。
【００５１】
従って、ユーザは、印刷時の状態を表示する表示画面Ｄを見ることにより、用紙としてＡ３の用紙を使用すれば、欠落のない画像の印刷が可能であることを容易に確認することができる。
【００５２】
図９は、強制印刷選択画面で強制印刷の実行を選択した際に表示される自動解除警告画面を示す図である。通常、パンチ処理やステープル処理が設定されている場合、一般的なプリンタ装置で強制印刷を実行すると、パンチやステープルの位置が予め入力した指定位置とずれる可能性がある。このため、プリンタ装置１０では、ユーザが強制印刷の実行を選択した際、図９に示す自動解除警告画面Ｓwaを強制印刷選択画面Ｓ1cp上に重ねて表示することによってユーザに対して警告する。従って、図８に示す強制印刷選択画面Ｓ1cpにおいて、ユーザが画面上の実行ボタンＢexをタッチすると、自動解除警告画面Ｓwaが強制印刷選択画面Ｓ1cp上に重ねて表示される。
【００５３】
図９に示すように、自動解除警告画面Ｓwaは、ステープル処理が自動解除されることを警告しており、強制印刷をキャンセルするキャンセルボタンＢpcと強制印刷を続行する続行ボタンＢpeとが表示される。
【００５４】
このとき、ユーザが、キャンセルボタンＢpcををタッチすると、強制印刷がキャンセルされる。すると、自動解除警告画面Ｓwaか閉じられ、強制印刷選択前の図８に示す強制印刷選択画面Ｓ1cpに戻る。
【００５５】
一方、ユーザが、続行ボタンＢpeををタッチすると、強制印刷が続行され、自動解除警告画面Ｓwaか閉じられて強制印刷が開始され、図８の表示画面Ｄに示すように、横置きの状態で横方向へ給紙される用紙(Ａ３)の左半側に強制印刷の対象となる画像Ｉmが印刷される。
【００５６】
以下、用紙切れとなった残り６枚の用紙について強制印刷に関する同様の操作が繰り返される。
【００５７】
図１０は、印刷データを用紙へ強制印刷する際にプリンタ装置１０が実行する制御手順を説明するフローチャートである。以下、ジョブ制御部３２の統括的な制御のもとにプリンタ装置１０が実行する印刷データの用紙への印刷を図１０及び図１１に示すフローチャートを参照して説明する。
【００５８】
先ず、ジョブ制御部３２は、印刷データを受信する（ステップＳ１００）。印刷データは、通信部３３を介して受信する。続いて、ジョブ制御部３２は、データ解析部３５に受信した印刷データを解析させる（ステップＳ１０２）。続いて、ジョブ制御部３２は、解析された印刷データをもとに印刷画像作成部３４に印刷用画像を作成させる（ステップＳ１０４）。
【００５９】
その後、ジョブ制御部３２は、印刷条件で指定された用紙が給紙トレイにあるか否かを判定する（ステップＳ１０６）。印刷条件で指定された用紙が給紙トレイにない場合（ステップＳ１０６，Ｎｏ）、ジョブ制御部３２は、用紙エラーとして操作パネルに強制印刷選択画面Ｓ1cpを表示する（ステップＳ１０８）。ここで、印刷条件で指定された用紙がない場合とは、印刷条件で指定された枚数，用紙サイズ或いは用紙種類の用紙がない場合をいう。続いて、ジョブ制御部３２は、代替の用紙を保持した給紙トレイが選択されたか否かを判定する（ステップＳ１１０）。
【００６０】
給紙トレイが選択されなかった場合（ステップＳ１１０，Ｎｏ）、ジョブ制御部３２は、給紙トレイが選択されるまで判定を繰り返す。給紙トレイが選択された場合（ステップＳ１１０，Ｙｅｓ）、ジョブ制御部３２は、表示用画像作成部４０に表示用画像の作成処理を実行させる（ステップＳ１１２）。表示用画像には、強制印刷の対象となる画像と、ユーザの選択した給紙トレイに保持される用紙の給紙方向を含む印刷領域の画像とを合成した合成画像が含まれている。このとき、表示用画像は、強制印刷の対象となる画像と印刷領域の画像のそれぞれを表示用画像作成部４０が大きいサイズの画像を基準として同じ縮尺で縮小し、基準となる画像左上の頂点Ｖを重ねると共に、頂点Ｖを挟む二辺をそれぞれ重ねて印刷時の合成画像として作成され、印刷領域の画像と強制印刷の対象となる画像のうち大きい方の画像の長辺を表示画面Ｄの一辺となるように縮小して表示画面Ｄに表示される。
【００６１】
作成後、ジョブ制御部３２は、表示用画像作成部４０に強制印刷選択画面Ｓ1cpの表示画面Ｄに表示用画像を表示させる（ステップＳ１１４）。その後、ジョブ制御部３２は、給紙トレイ選択の変更があるか否かを判定する（ステップＳ１１６）。この判定は、強制印刷選択画面Ｓ1cpのいずれかのアイコンをタッチすることによって入力される給紙トレイの選択信号をもとに行う。
【００６２】
給紙トレイ選択の変更があった場合（ステップＳ１１６，Ｙｅｓ）、ジョブ制御部３２は、ステップＳ１１２に戻る。一方、給紙トレイ選択の変更がなかった場合（ステップＳ１１６，Ｎｏ）、ジョブ制御部３２は、強制印刷の実行指示があったか否かを判定する（ステップＳ１１８）。この判定は、強制印刷選択画面Ｓ1cpの実行ボタンＢexのタッチによって入力される強制印刷の実行指示信号の有無をもとに行う。
【００６３】
強制印刷の実行指示がない場合（ステップＳ１１８，Ｎｏ）、ジョブ制御部３２は、ステップＳ１１６に戻る。一方、強制印刷の実行指示があった場合（ステップＳ１１８，Ｙｅｓ）、ジョブ制御部３２は、ステープル処理又はパンチ処理が設定されているか否かを判定する（ステップＳ１２０）。この判定は、印刷条件保持部３８に格納された印刷条件をもとに行う。
【００６４】
ステープル処理又はパンチ処理が設定されていない場合（ステップＳ１２０，Ｎｏ）、ジョブ制御部３２は、ステップＳ１２６へ移行する。一方、ステープル処理又はパンチ処理が設定されている場合（ステップＳ１２０，Ｙｅｓ）、ジョブ制御部３２は、ステープル処理又はパンチ処理を自動解除する旨の警告喚起画面を表示する（ステップＳ１２２）。
【００６５】
続いて、ジョブ制御部３２は、強制印刷を続行するか否かを判定する（ステップＳ１２４）。この判定は、警告喚起画面で強制印刷をタッチした強制印刷信号又はキャンセルをタッチした強制印刷キャンセル信号をもとに行う。警告喚起画面で強制印刷の続行が選択されなかった場合（ステップＳ１２４、Ｎｏ）、ジョブ制御部３２は、ステップＳ１１６に戻る。一方、警告喚起画面で強制印刷の続行が選択された場合（ステップＳ１２４、Ｙｅｓ）、ジョブ制御部３２は、プリンタエンジン１３に制御信号を出力し、画像を印刷させる(ステップＳ１２６)。
【００６６】
続いて、ジョブ制御部３２は、次ページがあるか否かを判定する（ステップＳ１２８）。次ページがない場合（ステップＳ１２８，Ｎｏ）、ジョブ制御部３２は、プリンタ装置１０の制御を終了する。次ページがある場合（ステップＳ１２８，Ｙｅｓ）、ジョブ制御部３２は、ステップＳ１０６に戻りプリンタ装置１０の制御を続行する。
【００６７】
一方、ステップＳ１０６において印刷条件で指定された用紙が給紙トレイにある場合（ステップＳ１０６，Ｙｅｓ）、ジョブ制御部３２は、ステップＳ１２６へ移行する。
【００６８】
図１１は、印刷データの用紙への印刷において実行される表示用画像の作成処理を説明するフローチャートである。図１１に示すように、先ず、表示用画像作成部４０は、印刷条件保持部３８から印刷用画像の印刷条件を取得する（ステップＳ１１４１）。取得する印刷条件としては、印刷用画像のサイズと向きである。続いて、表示用画像作成部４０は、印刷画像保持部３６から印刷用画像を取得する（ステップＳ１１４２）。その後、表示用画像作成部４０は、トレイ情報保持部３７から用紙サイズと給紙方向の情報を取得する（ステップＳ１１４３）。
【００６９】
続いて、表示用画像作成部４０は、印刷用画像のサイズ、用紙サイズ及び給紙方向をもとに、用紙の印刷領域の画像及び強制印刷の対象となる画像の表示画面上のサイズを決定する（ステップＳ１１４４）。この表示画面上のサイズは、計算によって決定する。
【００７０】
続いて、表示用画像作成部４０は、印刷領域の画像Ａpを作成する（ステップＳ１１４５）。この画像は、画像作成部４０ａが作成する。続いて、用紙の印刷領域の画像Ａpと強制印刷の対象となる画像Ｉmを合成する（ステップＳ１１４６）。この画像の合成は、、サイズの大きい画像を基準とし、基準となる頂点Ｖを重ねると共に、頂点Ｖを挟む二辺をそれぞれ重ね、印刷領域の画像Ａpと強制印刷の対象となる画像Ｉmのうち大きい方の画像の長辺が表示画面Ｄの一辺となるように縮小する。
【００７１】
その後、表示用画像作成部４０は、合成画像を画像変換する(ステップＳ１１４７)。この画像変換は、表示用画像作成部４０の画像変換部４０ｃが実行し、合成画像を表示画面Ｄ上で識別可能な形式（ＲＧＢ）に変換する。これにより、表示画面Ｄは、印刷時の状態の合成画像を表示することができる。
【００７２】
このように、実施の形態１によれば、用紙エラーが発生した場合に、強制印刷選択画面Ｓ1cpの表示画面Ｄに用紙の給紙方向を含む印刷領域の画像Ａp及び強制印刷の対象となる画像Ｉmが印刷時の状態で表示される。このため、表示画面Ｄの表示をもとに、ユーザが強制印刷を続行するかキャンセルするかを判断することができるので、強制印刷時の印刷結果にユーザの希望を反映させることができる。
【００７３】
なお、実施の形態１は、プリンタ装置１０で用紙エラーが発生した場合、プリンタ装置１０側で用紙エラーに対処する態様について説明した。但し、ホストコンピュータ３が備える管理操作パネル上で給紙トレイの選択の指示及び強制印刷の実行の指示を入力することによりホストコンピュータ３側で用紙エラーに対処してもよい。
【００７４】
（実施の形態２）
実施の形態１では、強制印刷の対象となる画像Ｉmを表示画面Ｄ上で用紙の印刷領域の画像Ａpの大きさとの関係で相対的に拡縮して強制印刷した。これに対し、実施の形態２では、更に強制印刷の対象となる画像Ｉmを表示画面Ｄ上で回転，サイズ補正，ページ送り或いはページ戻しをして強制印刷できるようにしている。図１２は、実施の形態２にかかるプリンタ装置の強制印刷選択画面Ｓ2cpを示す図である。図１３は、図１２に示す強制印刷選択画面Ｓ2cpで強制印刷の対象となる画像Ｉmを回転させた図である。
【００７５】
図１２に示すように、強制印刷選択画面Ｓ2cpには、強制印刷選択画面Ｓ1cpのボタンに加えて回転指示ボタンＢrt，サイズ補正指示ボタンＢzm，ページ送り指示ボタンＢpf及びページ戻し指示ボタンＢpbの４つのボタンが表示されている。ここで、図１２に示す強制印刷選択画面Ｓ2cpは、強制印刷用の代替トレイとして給紙方向が横方向のＢ５の用紙を保持した給紙トレイを選択した場合を示している。また、表示画面Ｄには、強制印刷の対象となる画像Ｉmと、給紙方向が横方向の用紙(Ｂ５)の印刷領域の画像Ａp(B5)とが、サイズの大きい画像Ｉmの長辺が表示画面Ｄの一辺となるように縮小され、基準となる左上の頂点Ｖを重ねると共に、頂点Ｖを挟むそれぞれ重ねて印刷時の状態で表示される。
【００７６】
回転指示ボタンＢrtは、選択された用紙の給紙方向を含む印刷領域の画像Ａpに対して強制印刷の対象となる画像Ｉmを９０度回転させる指示を手指でタッチすることによって入力する。サイズ補正指示ボタンＢzmは、同様に、選択された用紙の給紙方向を含む印刷領域の画像Ａp内に収まるように強制印刷の対象となる画像Ｉmを自動的に拡大又は縮小させる指示を入力する。ページ送り指示ボタンＢpfは、同様に、強制印刷の対象となるページの画像Ｉmだけではなく、そのページ以降のページの画像Ｉmfと選択された用紙の給紙方向を含む印刷領域の画像Ａpとをページ送りして表示させる指示を入力する。ページ戻し指示ボタンＢpbは、同様に、強制印刷の対象となるページの画像Ｉmだけではなく、そのページ以前のページの画像Ｉmpと選択された用紙の給紙方向を含む印刷領域の画像Ａpとをページ戻しして表示させる指示を入力する。
【００７７】
従って、実施の形態２にかかるプリンタ装置１０では、Ａ４の画像の印刷中に発生した用紙エラーによって、図１２に示す強制印刷選択画面Ｓ2cpが表示された場合、例えば、選択された用紙の給紙方向を含む印刷領域の画像Ａp(B5)に対して強制印刷の対象となる画像Ｉmを回転させる指示を回転指示ボタンＢrtから入力する。すると、図１３に示すように、表示画面Ｄには、強制印刷の対象となる画像Ｉm(rt)が印刷領域の画像Ａp(B5)に対して９０度回転され、それぞれの画像の頂点Ｖを重ねると共に、頂点Ｖを挟む二辺をそれぞれ重ねた印刷時の画像が表示される。図１３から明らかなように、強制印刷の対象となる画像Ｉm(rt)は、印刷領域の画像Ａp(B5)よりも大きい。このため、強制印刷を実行すると、画像Ｉm(rt)は、一部が欠けてしまうので、サイズ補正をする必要がある。
【００７８】
図１４は、画像の回転及びサイズ補正を含む強制印刷の際にプリンタ装置１０が実行する制御手順を説明するフローチャートである。以下、ジョブ制御部３２の統括的な制御のもとにプリンタ装置１０が実行する画像の回転及びサイズ補正を含む強制印刷について図１４に示すフローチャートを参照して説明する。ここで、以下の説明においては、説明を簡単にするためにステープル処理やパンチ処理を自動解除する旨の警告喚起については説明を省略するが、自動解除警告画面Ｓwaの表示による警告喚起が行なわれるものとする。
【００７９】
先ず、ジョブ制御部３２は、強制印刷の対象となる画像Ｉmの回転の指示があったか否かを判定する（ステップＳ２００）。この判定は、回転指示ボタンＢrtのタッチに伴う画像回転の指示信号をもとに行う。回転の指示がない場合（ステップＳ２００，Ｎｏ）、ジョブ制御部３２は、回転の指示があるまでこの判定を繰り返す。強制印刷の対象となる画像Ｉmの回転の指示があった場合（ステップＳ２００，Ｙｅｓ）、ジョブ制御部３２は、画像作成部４０ａに印刷領域の画像Ａp(B5)に対して回転した強制印刷の対象となる画像Ｉm(rt)を作成させる（ステップＳ２０２）。
【００８０】
その後、ジョブ制御部３２は、画像合成部４０ｂに回転後の画像Ｉm(rt)と印刷領域の画像Ａp(B5)とを合成させる（ステップＳ２０４）。画像の合成は、二つの画像Ｉm(rt)，Ａp(B5)の基準となる左上の頂点Ｖを重ねると共に、頂点Ｖを挟む二辺をそれぞれ重ねて合成した印刷時の表示用画像とする。続いて、ジョブ制御部３２は、画像合成部４０ｂから表示パネル１２へ表示用画像を出力させ、表示画面Ｄに合成した表示用画像を表示させる（ステップＳ２０６）。続いて、ジョブ制御部３２は、強制印刷の対象となる回転後の画像Ｉm(rt)のサイズ補正の指示があったか否かを判定する（ステップＳ２０８）。この判定は、サイズ補正指示ボタンＢzmのタッチに伴うサイズ補正の指示信号をもとに行う。
【００８１】
サイズ補正の指示がない場合（ステップＳ２０８，Ｎｏ）、ジョブ制御部３２は、サイズ補正の指示があるまでこの判定を繰り返す。画像Ｉm(rt)のサイズ補正の指示があった場合（ステップＳ２０８，Ｙｅｓ）、ジョブ制御部３２は、画像作成部４０ａに画像Ｉm(rt)に対する印刷領域の画像Ａp(B5)の縦の辺の比及び横の辺の比を計算させる（ステップＳ２１０）。この比の値が縦の辺，横の辺共に１を超えている場合は、画像Ｉm(rt)のサイズに比して印刷領域の画像Ａp(B5)のサイズが大きいので、印刷領域の画像Ａp(B5)内に画像Ｉm(rt)を印刷できる。しかし、比の値が１以下となる場合には、画像Ｉm(rt)のサイズに比して印刷領域の画像Ａp(B5)のサイズが小さいので、該当する辺の画像Ｉm(rt)が印刷領域からはみ出してしまい、印刷した際に画像切れが発生する。このため、比の値が縦の辺，横の辺共に１を越えている場合は、画像Ｉm(rt)を拡大し、比の値が１以下の場合には、画像Ｉm(rt)を縮小する必要がある。
【００８２】
続いて、ジョブ制御部３２は、画像作成部４０ａに求めた辺の比の値の少なくとも一方が１以下であるか否かを判定させる（ステップＳ２１２）。１以下である場合（ステップＳ２１２，Ｙｅｓ）、ジョブ制御部３２は、辺の比の小さい方を変倍率（縮小率）に設定する（ステップＳ２１４）。続いて、ジョブ制御部３２は、画像変換部４０ｃに変倍率（縮小率）に合わせて画像Ｉm(rt)を変倍（縮小又は拡大）させる（ステップＳ２１６）。
【００８３】
その後、ジョブ制御部３２は、画像合成部４０ｂに変倍した画像Ｉm(rt)と印刷領域の画像Ａp(B5)とを合成させる（ステップＳ２１８）。続いて、表示画面Ｄに合成した表示用画像を表示する（ステップＳ２２０）。図１５は、表示画面Ｄにおける印刷領域の画像Ａpに対する強制印刷の対象となる画像Ｉmのサイズ補正を説明する図である。図１５に示すように、表示画面Ｄには、図１３の表示画面Ｄに表示された画像Ｉm(rt)から印刷領域の画像Ａp(B5)と同じ大きさにサイズ補正された画像Ｉm(rt,rd)が表示される。
【００８４】
続いて、ジョブ制御部３２は、強制印刷の実行指示があったか否かを判定する（ステップＳ２２２）。この判定は、強制印刷を実行させる実行ボタンＢexのタッチによる強制印刷の実行指示信号の有無をもとに行う。強制印刷の実行指示がない場合（ステップＳ２２２，Ｎｏ）、ジョブ制御部３２は、強制印刷の実行指示があるまで判定を繰り返す。一方、強制印刷の実行指示があった場合（ステップＳ２２２，Ｙｅｓ）、ジョブ制御部３２は、変倍率（縮小率）をもとに印刷画像変換部３９に印刷用画像を変倍（縮小又は拡大）させる（ステップＳ２２４）。このとき、印刷画像変換部３９は、画像作成部４０ａから取得した変倍率（縮小率又は拡大率）をもとに印刷用画像を変倍し、印刷用処理画像とする。
【００８５】
その後、ジョブ制御部３２は、印刷画像変換部３９に作成した印刷用処理画像のデータ信号をプリンタエンジン１３へ出力させ、用紙（Ｂ５）に画像を印刷させる（ステップＳ２２６）。これにより、強制印刷の対象となる画像の回転及びサイズ補正を含む強制印刷の処理が終了する。
【００８６】
一方、ステップＳ２１２において辺の比が縦の辺，横の辺共に１を越えている場合（ステップＳ２１２，Ｎｏ）、辺の比の大きい方を変倍率（拡大率）に設定し、ステップＳ２１６へ移行する（ステップＳ２２８）。実施の形態２においては、以上のようにして強制印刷の処理が実行される。
【００８７】
このように、ユーザは、強制印刷の際に、印刷時の状態を表示する表示画面Ｄを見ることにより、印刷結果にユーザの希望を反映させ、対象となる画像の回転及びサイズ補正をすることで所望のサイズ及び向きの用紙に画像を印刷することができる。
【００８８】
このとき、ユーザは、例えば、強制印刷の対象となる画像Ｉmのサイズ補正を選択し、図１６に示す表示画面Ｄのように、画像Ｉmが縮小した画像Ｉm(rd)とし、画像Ｉm(rd)を用紙（Ｂ５）に強制印刷してもよい。
【００８９】
図１７は、表示画面Ｄにおける印刷領域の画像Ａpに対する強制印刷の対象となる画像Ｉmの回転及びサイズ補正を説明する図である。以下、図１７を参照して画像Ｉmの回転とサイズ補正について概略を説明する。先ず、ユーザが代替の給紙トレイとしてＡ３の用紙を保持した給紙トレイを選択し（図１７（ａ））、画像Ｉmを回転させる（図１７（ｂ））。続いて、回転後の画像Ｉm(rt)を拡大し（図１７（ｃ））、強制印刷の対象となる画像Ｉmを表示用の画像Ｉm(rt,el)とする。このようにすると、図１６に示すＢ５の用紙に強制印刷する場合に比べて、大きな用紙に強制印刷することができ、画像Ｉmを拡大して印刷させることができる。
【００９０】
図１８は、ページ送り機能およびページ戻し機能を利用した強制印刷を説明する強制印刷選択画面Ｓ2cpの図である。図１９は、強制印刷選択画面Ｓ2cp上で強制印刷を実行する実行ボタンを操作した際に表示される印刷メニュー画面の図である。
【００９１】
強制印刷の対象となる画像Ｉmについて所望のページの画像Ｉmと印刷領域の画像Ａpとを表示する場合は、強制印刷選択画面Ｓ2cp（図１２参照）上でページ送り指示ボタンＢpf又はページ戻し指示ボタンＢpbを介したページ送り操作又はページ戻し操作によって所望のページを選択し、図１８に示すように、所望のページの画像Ｉmと印刷領域の画像Ａpとを表示画面Ｄ上に表示して強制印刷を実行する。
【００９２】
このとき、実行ボタンＢexをタッチすると、図１９に示す印刷メニュー画面Ｍpが操作パネル１２に表示される。印刷メニュー画面Ｍpは、強制印刷選択画面Ｓ2cpの上に重ねて表示してもよいし、操作パネル１２の強制印刷選択画面Ｓ2cpとは別の位置に表示してもよい。このとき、印刷メニュー画面Ｍp上で、「全ページ印刷」又は「現在のページ印刷」をタッチすることにより、「全ページ印刷」又は「現在のページ印刷」の何れか一方の印刷メニューに従って強制印刷の対象となる画像Ｉmが強制印刷される。
【００９３】
図２０は、ページ送り機能又はページ戻し機能を利用した強制印刷の際にプリンタ装置１０が実行する制御手順を説明するフローチャートである。以下、ジョブ制御部３２の統括的な制御のもとにプリンタ装置１０が実行するページ送り機能又はページ戻し機能を利用した強制印刷について図２０に示すフローチャートを参照して説明する。
【００９４】
先ず、ジョブ制御部３２は、強制印刷の対象となる画像Ｉmの表示ページ数に変更があったか否かを判定する（ステップＳ３００）。この判定は、ページ送り指示ボタンＢpf又はページ戻し指示ボタンＢpbのタッチに伴うページ送り又はページ戻しの指示信号をもとに行う。表示ページ数の変更がない場合（ステップＳ３００，Ｎｏ）、ジョブ制御部３２は、変更があるまでこの判定を繰り返す。表示ページ数の変更があった場合（ステップＳ３００，Ｙｅｓ）、ジョブ制御部３２は、印刷画像保持部３６から表示ページ数を変更した印刷用画像を取得する（ステップＳ３０２）。
【００９５】
その後、ジョブ制御部３２は、トレイ情報保持部３７から用紙サイズと給紙方向の情報を取得する（ステップＳ３０４）。続いて、ジョブ制御部３２は、画像作成部４０ａに変更した表示ページ数に対応した表示用画像を作成させる（ステップＳ３０６）。作成後、ジョブ制御部３２は、画像作成部４０ａに表示用画像を表示させる（ステップＳ３０８）。
【００９６】
続いて、ジョブ制御部３２は、強制印刷の実行指示があったか否かを判定する（ステップＳ３１０）。この判定は、実行ボタンＢexのタッチによる強制印刷の実行指示信号の有無をもとに行う。強制印刷の実行指示がない場合（ステップＳ３１０，Ｎｏ）、ジョブ制御部３２は、強制印刷の実行指示があるまで判定を繰り返す。一方、強制印刷の実行指示があった場合（ステップＳ３１０，Ｙｅｓ）、ジョブ制御部３２は、操作パネル１２に印刷メニュー画面Ｍpを表示する（ステップＳ３１２）。
【００９７】
続いて、ジョブ制御部３２は、全ページ印刷が選択されたか否かを判定する（ステップＳ３１４）。この場合、現在のページ印刷が選択されたか否かを判定してもよい。全ページ印刷が選択された場合（ステップＳ３１４，Ｙｅｓ）、ジョブ制御部３２は、画像作成部４０ａに作成した全ページ分の印刷用処理画像のデータ信号をプリンタエンジン１３へ出力させ、用紙のそれぞれに各ページの画像を印刷させる（ステップＳ３１６）。これにより、全ページ印刷が実行され、強制印刷を終了する。
【００９８】
一方、全ページ印刷が選択されていない場合（ステップＳ３１４，Ｎｏ）、ジョブ制御部３２は、画像作成部４０ａに作成した指定ページ分の印刷用処理画像のデータ信号をプリンタエンジン１３へ出力させ、用紙に現在のページの画像を印刷させる（ステップＳ３１８）。続いて、ジョブ制御部３２は、次ページが存在するか否かを判定する（ステップＳ３２０）。
【００９９】
次ページが存在しない場合、ジョブ制御部３２は、強制印刷の制御を終了する。次ページが存在する場合、ジョブ制御部３２は、ステップＳ３０２へ戻る。
【０１００】
実施の形態２のプリンタ装置１０は、以上のようにして回転指示ボタンＢrt、サイズ補正指示ボタンＢzm、ページ送り指示ボタンＢpf及びページ戻し指示ボタンＢpbを利用して印刷領域の画像Ａpに対して強制印刷の対象となる画像Ｉmの配置やサイズを調整した印刷時の状態を表示する画像を表示画面Ｄに表示する。このため、実施の形態２によれば、表示画面Ｄに表示された用紙の給紙方向を含む印刷領域の画像Ａpと強制印刷の対象となる画像Ｉmとをもとに、ユーザが強制印刷を続行するかキャンセルするかを判断することができるので、強制印刷時の印刷結果にユーザの希望を反映させることができる。
【０１０１】
（実施の形態３）
実施の形態１では、強制印刷の対象となる画像Ｉmを表示画面Ｄ上で用紙の印刷領域の画像Ａpの大きさとの関係で相対的に拡縮して強制印刷した。これに対し、実施の形態３では、手差しトレイを使用して不定形サイズの用紙を含め所望のサイズの用紙に強制印刷できるようにしている。図２１は、実施の形態３にかかるプリンタ装置の強制印刷選択画面Ｓ3cpを示す図である。図２２は、用紙サイズを設定するための用紙サイズ設定画面を示す図である。
【０１０２】
図２１に示すように、強制印刷選択画面Ｓ3cpは、アイコンＩ4が手差しトレイから用紙を給紙するアイコンに代わると共に、用紙サイズ設定画面を表示する指示を入力する用紙サイズ設定ボタンＢpsが追加されている点が実施の形態２の強制印刷選択画面Ｓ2cpと異なっている。
【０１０３】
従って、実施の形態３にかかるプリンタ装置では、用紙エラーによって、図２１に示す強制印刷選択画面Ｓ3cpが表示された場合、手差しトレイから用紙を給紙しようとすると、用紙が未登録のため、表示画面Ｄ上に用紙の印刷領域の画像Ａpを表示させることができない。このため、手差しトレイから用紙を給紙して強制印刷する場合には、用紙サイズを設定する必要がある。このため、手差しトレイを使用する場合には、用紙サイズ設定操作のための画面を表示する。この場合、用紙サイズ設定ボタンＢpsをタッチすると、図２２に示す用紙サイズ設定画面Ｓpsが操作パネル１２に表示される。
【０１０４】
用紙サイズ設定画面Ｓpsは、図２２に示すように、定型サイズの用紙の用紙サイズを設定する設定ボックスＢxsf及び不定型サイズの用紙の用紙サイズを入力する入力ボックスＢxsx，Ｂxsyが設けられている。図２２に示す設定ボックスＢxsfは、Ａ４の用紙サイズが選択されたことを示している。
【０１０５】
従って、図２２に示す用紙サイズ設定画面Ｓpsにおいて、定型サイズの用紙の用紙サイズを使用する場合は、設定ボックスＢxsfで用紙サイズを設定し、不定型サイズの用紙の用紙サイズを使用する場合は、入力ボックスＢxsxから横の用紙サイズを入力し、入力ボックスＢxsyから縦の用紙サイズを入力する。このようにして設定又は入力された用紙サイズの情報は、トレイ情報保持部３７及び表示用画像作成部４０へ入力される。
【０１０６】
従って、図２２に示す用紙サイズ設定画面Ｓpsで用紙サイズを入力し、適用ボタンをタッチすると、強制印刷選択画面Ｓ3cpの表示画面Ｄに印刷領域の画像Ａpが強制印刷の対象となる画像Ｉmと共に表示される。この場合、強制印刷を実行する前であれば、改めて用紙サイズの設定又は入力すること、或いは改めて別の給紙トレイを選択することにより、強制印刷の対象となる画像Ｉmをユーザの所望する用紙に印刷させることができる。
【０１０７】
図２３は、手差しトレイから用紙を給紙して強制印刷する際にプリンタ装置１０が実行する制御手順を説明するフローチャートである。以下、ジョブ制御部３２の統括的な制御のもとにプリンタ装置１０が実行する手差しトレイから用紙を給紙して強制印刷する場合について図２３に示すフローチャートを参照して説明する。
【０１０８】
先ず、ジョブ制御部３２は、手差しトレイから用紙を給紙するアイコンＩ4がクリックされた場合、用紙サイズ設定ボタンＢpsが押下されたか否かを判定する（ステップＳ４００）。この判定は、用紙サイズ設定ボタンＢpsのタッチに伴う用紙サイズ設定の選択信号をもとに行う。用紙サイズ設定ボタンＢpsが押下されていない場合（ステップＳ４００，Ｎｏ）、ジョブ制御部３２は、押下されるまでこの判定を繰り返す。用紙サイズ設定ボタンＢpsが押下された場合（ステップＳ４００，Ｙｅｓ）、ジョブ制御部３２は、用紙サイズ設定画面Ｓpsを表示させる（ステップＳ４０２）。
【０１０９】
続いて、ジョブ制御部３２は、用紙サイズが入力されたか否かを判定する（ステップＳ４０４）。この判定は、用紙サイズ設定画面Ｓpsの適用ボタンのタッチに伴う用紙サイズ設定の信号をもとに行う。用紙サイズが入力されていない場合（ステップＳ４０４，Ｎｏ）、ジョブ制御部３２は、用紙サイズが入力されるまでこの判定を繰り返す。用紙サイズが入力された場合（ステップＳ４０４，Ｙｅｓ）、ジョブ制御部３２は、入力された用紙サイズの情報を取得する（ステップＳ４０６）。
【０１１０】
続いて、ジョブ制御部３２は、画像作成部４０ａに入力された用紙サイズの表示用画像を作成させる(ステップＳ４０８)。作成後、ジョブ制御部３２は、表示画面Ｄに表示用画像を表示させる（ステップＳ４１０）。
【０１１１】
続いて、ジョブ制御部３２は、強制印刷の実行指示があったか否かを判定する（ステップＳ４１２）。この判定は、実行ボタンＢexのタッチによる強制印刷の実行指示信号の有無をもとに行う。強制印刷の実行指示がない場合（ステップＳ４１２，Ｎｏ）、ジョブ制御部３２は、強制印刷の実行指示があるまで判定を繰り返す。一方、強制印刷の実行指示があった場合（ステップＳ４１２，Ｙｅｓ）、ジョブ制御部３２は、印刷条件保持部３８の用紙サイズを変更する（ステップＳ４１４）。
【０１１２】
続いて、ジョブ制御部３２は、印刷画像作成変換部３８に印刷用処理画像のデータ信号をプリンタエンジン１３へ出力させ、強制印刷を実行させる（ステップＳ４１６）。これにより、ユーザが用紙サイズを変更した用紙に画像が印刷され、強制印刷が終了する。
【０１１３】
実施の形態３のプリンタ装置は、以上のようにして手差しトレイを使用して所望サイズの用紙を選択し、所望サイズの用紙の印刷領域の画像Ａpを強制印刷の対象となる画像Ｉmと共に印刷時の状態を表示する表示画面Ｄに表示する。このため、実施の形態３によれば、表示画面Ｄに表示された用紙の給紙方向を含む印刷領域の画像Ａpと強制印刷の対象となる画像Ｉmとをもとに、ユーザが強制印刷を続行するかキャンセルするかを判断することができるので、強制印刷時の印刷結果にユーザの希望を反映させることができる。
【０１１４】
（実施の形態４）
実施の形態１では、強制印刷の対象となる画像Ｉmを表示画面Ｄ上で用紙の印刷領域の画像Ａpの大きさとの関係で相対的に拡縮して強制印刷した。これに対し、実施の形態４では、強制印刷の対象となる画像Ｉmを用紙の中央に強制印刷できるようにしている。図２４は、実施の形態４にかかるプリンタ装置の強制印刷選択画面Ｓ4cpを示す図である。図２５は、図２４に示す強制印刷選択画面Ｓ4cpにおいて強制印刷の対象となる画像Ｉmを表示画面Ｄの中央に表示した図である。
【０１１５】
図２４に示すように、強制印刷選択画面Ｓ4cpは、強制印刷の対象となる画像Ｉmを用紙の中央に表示させる指示を入力するセンタリングボタンＢcが追加されている点が実施の形態２の強制印刷選択画面Ｓ2cpと異なっている。
【０１１６】
プリンタ装置１０では、用紙エラーが発生すると、操作パネル１２に強制印刷選択画面Ｓ4cpが表示される。そして、アイコンＩ3のタッチによってＡ３の用紙を保持した給紙トレイを選択し、回転指示ボタンＢrtとサイズ補正指示ボタンＢzmのタッチによって画像の回転及びサイズ補正を選択すると、強制印刷選択画面Ｓ4cpには、図２４に示す表示画面Ｄが表示される。このとき、表示画面Ｄには、回転と縮小が施された強制印刷の対象となる画像Ｉm(rt,rd)と、給紙方向が横方向の用紙(Ａ３)の印刷領域の画像Ａp(A3)とを、左上の頂点Ｖで重ねると共に、頂点Ｖを挟む二辺をそれぞれ重ねた印刷時の状態が表示され、画像Ｉm(rt,rd)が左上に偏って配置されている。
【０１１７】
この状態を補正し、画像Ｉm(rt,rd)をＡ３の用紙の中央に印刷する際に、センタリングボタンＢcを使用する。ここで、センタリングボタンＢcにタッチすると、図２５に示すように、強制印刷の対象となる画像Ｉm(rt,rd)が表示画面Ｄの中央に表示される。このため、強制印刷を実行すると、強制印刷の対象となる画像Ｉm(rt,rd)が横長に配置したＡ３の用紙の中央に印刷される。
【０１１８】
図２６は、強制印刷の対象となる画像をセンタリングして強制印刷する際にプリンタ装置１０が実行する制御手順を説明するフローチャートである。以下、ジョブ制御部３２の統括的な制御のもとにプリンタ装置１０が実行する画像をセンタリングして強制印刷する場合について図２６に示すフローチャートを参照して説明する。
【０１１９】
先ず、ジョブ制御部３２は、強制印刷用の用紙を保持した給紙トレイが選択されたか否かを判定する（ステップＳ５００）。給紙トレイが選択されなかった場合（ステップＳ５００，Ｎｏ）、ジョブ制御部３２は、給紙トレイが選択されるまで判定を繰り返す。給紙トレイが選択された場合（ステップＳ５００，Ｙｅｓ）、ジョブ制御部３２は、センタリングボタンＢcが押下されたか否かを判定する（ステップＳ５０２）。この判定においては、センタリングボタンＢcのタッチによって入力されるセンタリングの選択信号をもとに行う。
【０１２０】
センタリングボタンＢcが押下されていない場合（ステップＳ５０２，Ｎｏ）、ジョブ制御部３２は、ジョブ制御部３２は、押下されるまでこの判定を繰り返す。センタリングボタンＢcが押下された場合（ステップＳ５０２，Ｙｅｓ）、ジョブ制御部３２は、印刷用画像のサイズ情報を取得する（ステップＳ５０４）。このサイズ情報は、ジョブ制御部３２が印刷画像保持部３６から取得する。
【０１２１】
続いて、ジョブ制御部３２は、選択された給紙トレイの用紙サイズの情報を取得する（ステップＳ５０６）。このサイズ情報は、ジョブ制御部３２がトレイ情報保持部３７から入手する選択された給紙トレイの情報から取得する。続いて、ジョブ制御部３２は、センタリングが可能か否かを判定する（ステップＳ５０８）。この判定は、ステップＳ５０４で取得した印刷用画像のサイズ情報と、ステップＳ５０６で取得した選択された給紙トレイの用紙サイズの情報とに基づいて行なう。
【０１２２】
センタリングが不可能な場合（ステップＳ５０８，Ｎｏ）、ジョブ制御部３２は、ステップＳ５００へ戻る。センタリングが可能な場合（ステップＳ５０８，Ｙｅｓ）、ジョブ制御部３２は、強制印刷の対象となる画像Ｉmの印刷位置を計算する（ステップＳ５１０）。印刷位置は、印刷画像作成部３４が計算し、計算した画像Ｉmの印刷位置情報は表示用画像作成部４０へ出力される。
【０１２３】
図２７は、図２４に示す表示画面Ｄに表示された強制印刷の対象となる画像Ｉm(rt,rd)と印刷領域の画像Ａp(A3)とに基づいてセンタリングに伴う印刷位置を説明する図である。センタリング前の図２４に示す表示画面Ｄでは、画像Ｉm(rt,rd)と印刷領域の画像Ａp(A3)とを左上の頂点Ｖで重ねると共に、頂点Ｖを挟む二辺をそれぞれ重ねた状態で表示される。このため、図２７（ａ）に示すように、センタリング前の表示画面Ｄでは、印刷領域の画像Ａp(A3)と強制印刷の対象となる画像Ｉm(rt,rd)の大きさの違い及び画像Ｉm(rt,rd)が左上に偏って配置されることにより、画像Ｉm(rt,rd)の右側及び下側にそれぞれ横余白（＝ΔＸ）及び縦余白(ΔＹ)が生じる。
【０１２４】
一方、センタリング後は、横余白（＝ΔＸ）及び縦余白(ΔＹ)が強制印刷の対象となる画像Ｉm(rt,rd)の上下左右に均等に振り分けられ、横余白＝ΔＸ／２、縦余白＝ΔＹ／２となる。従って、図２７（ｂ）に示すように、Ｐs(x)が画像Ｉm(rt,rd)の印刷開始位置（横）、Ｐe(x)が画像Ｉm(rt,rd)の印刷終了位置（横）となり、Ｐs(y)が画像Ｉm(rt,rd)の印刷開始位置（縦）、Ｐe(y)が画像Ｉm(rt,rd)の印刷終了位置（縦）となる。そして、表示用画面作成部４０は、これらの位置を基準として表示画面Ｄに表示する表示用画像を作成する。
【０１２５】
続いて、ジョブ制御部３２は、表示用画像作成部４０に画像Ｉmと印刷領域の画像Ａpとを印刷位置に合わせて合成した表示用画像を作成させる（ステップＳ５１２）。作成後、ジョブ制御部３２は、表示用画像作成部４０に制御信号を出力し、表示画面Ｄに表示用画像を表示させる（ステップＳ５１４）。
【０１２６】
続いて、ジョブ制御部３２は、印刷画像作成変換部３８に印刷用処理画像のデータ信号をプリンタエンジン１３へ出力させ、強制印刷の実行指示があったか否かを判定する（ステップＳ５１６）。この判定は、実行ボタンＢexのタッチによる強制印刷の実行指示信号の有無をもとに行う。強制印刷の実行指示がない場合（ステップＳ５１６，Ｎｏ）、ジョブ制御部３２は、強制印刷の実行指示があるまで判定を繰り返す。一方、強制印刷の実行指示があった場合（ステップＳ５１６，Ｙｅｓ）、ジョブ制御部３２は、強制印刷の対象となる画像Ｉmの印刷位置情報をプリンタエンジン１３へ出力する（ステップＳ５１８）。その後、ジョブ制御部３２は、強制印刷を実行する（ステップＳ５２０）。これにより、ユーザにセンタリングを指定された画像が指定した用紙の中央に印刷され、強制印刷が終了する。
【０１２７】
実施の形態４のプリンタ装置は、以上のようにして強制印刷の対象となる画像を表示画面Ｄにセンタリングして表示すると共に、所望サイズの用紙にセンタリングした状態で強制印刷する。このため、実施の形態４によれば、表示画面Ｄに表示された用紙の給紙方向を含む印刷領域の画像Ａpと強制印刷の対象となる画像Ｉmとをもとに、ユーザが強制印刷を続行するかキャンセルするかを判断することができるので、強制印刷時の印刷結果にユーザの希望を反映させることができる。
【０１２８】
尚、上記実施の形態は、画像形成装置としてプリンタ装置の場合について説明した。しかし、本発明の画像形成装置は、画像を用紙上に形成する画像形成機能を有していれば、例えば、ファクシミリや複写機或いはスキャナ等であってもよい。
【０１２９】
また、実施の形態１〜４のプリンタ装置は、各実施の形態で説明した機能を適宜組み合わせて使用してもよい。
【０１３０】
また、上記した強制印刷は、用紙エラーが発生しない通常の印刷の際に適用してもよい。通常の印刷で使用すると、ユーザの好みに応じた配置の画像を所望の用紙に印刷することができる。
【符号の説明】
【０１３１】
１  画像形成システム
２  ネットワーク
３  ホストコンピュータ
１０  プリンタ装置
１２  操作パネル
１３  プリンタエンジン
１３ａ  印刷部
１３ｂ  トレイ情報検知部
２０  制御部
２１  ネットワークＩ／Ｆ
２２  プログラムＲＯＭ
２３  フォントＲＯＭ
２４  入力Ｉ／Ｆ
２５  ＳＤカードＩ／Ｆ
２６  ＵＳＢＩ／Ｆ
２７  ＣＰＵ
２８  ＲＡＭ
２９  ＮＶ−ＲＡＭ
３０  エンジンＩ／Ｆ
３１  オプションＲＡＭ
３２  ジョブ制御部
３３  通信部
３４  印刷画像作成部
３５  データ解析部
３６  印刷画像保持部
３７  トレイ情報保持部
３８  印刷条件保持部
３９  印刷画像変換部
４０  表示用画像作成部
４０ａ  画像作成部
４０ｂ  画像合成部
４０ｃ  画像変換部
４０ｄ  画像保持部
Ａp  印刷領域の画像
Ｂc  センタリングボタン
Ｂex  実行ボタン
Ｂjr  ジョブリセットボタン
Ｂrt  回転指示ボタン
Ｂpf  ページ送り指示ボタン
Ｂpb  ページ戻し指示ボタ
Ｂpc  キャンセルボタン
Ｂps  用紙サイズ設定ボタン
Ｂxsf  設定ボックス
Ｂxsx  入力ボックス
Ｂxsy  入力ボックス
Ｂzm  サイズ補正指示ボタン
Ｄ  表示画面
Ｉ1〜Ｉ4  アイコン
Ｉm  強制印刷の対象となる画像
Ｍp  印刷メニュー画面
Ｓ1cp〜Ｓ4cp  強制印刷選択画面
Ｓps  用紙サイズ設定画面
Ｓwa  自動解除警告画面
【先行技術文献】
【特許文献】
【０１３２】
【特許文献１】特開２００２−２６４４４７号公報
【図１】
0005614196.tif 000002
【図２】
0005614196.tif 000003
【図３】
0005614196.tif 000004
【図４】
0005614196.tif 000005
【図５】
0005614196.tif 000006
【図６】
0005614196.tif 000007
【図７】
0005614196.tif 000008
【図８】
0005614196.tif 000009
【図９】
0005614196.tif 000010
【図１０】
0005614196.tif 000011
【図１１】
0005614196.tif 000012
【図１２】
0005614196.tif 000013
【図１３】
0005614196.tif 000014
【図１４】
0005614196.tif 000015
【図１５】
0005614196.tif 000016
【図１６】
0005614196.tif 000017
【図１７】
0005614196.tif 000018
【図１８】
0005614196.tif 000019
【図１９】
0005614196.tif 000020
【図２０】
0005614196.tif 000021
【図２１】
0005614196.tif 000022
【図２２】
0005614196.tif 000023
【図２３】
0005614196.tif 000024
【図２４】
0005614196.tif 000025
【図２５】
0005614196.tif 000026
【図２６】
0005614196.tif 000027
【図２７】
0005614196.tif 000028